(57)【要約】【課題】バッテリー付き照明器具は重く、吊下げ使用に適さない。【解決手段】充電可能なバッテリー１と、該バッテリー１の上部に着脱自在な照明器具２とを有し、該照明器具２は、前記バッテリー１の上部に着脱自在なフレーム３と、該フレーム３に対し揺動自在且表裏反転可能に回動自在に取り付けられた照明器具本体４とを有し、バッテリー１と照明器具２とに電気的に接続する手段を有している。そして、必要に応じてバッテリー１から照明器具２を外して、比較的軽量な照明器具２だけを横向きにしたり縦向きのまま吊り下げ、且つ照明器具本体４の姿勢を必要に応じて変更すれば、非常に重いバッテリー１は地面やテーブル上に載置した状態で使用可能になる。【選択図】図１
2010092784.tif 000002
【特許請求の範囲】
【請求項１】
充電可能なバッテリーと、該バッテリーの上部に着脱自在に装着される照明器具とを有し、該照明器具は、前記バッテリーの上部に着脱自在なフレームと、該フレームに対し揺動自在且表裏反転方向に回動自在に取り付けられた照明器具本体とを有し、バッテリーと照明器具とに電気的に接続する手段を有したことを特徴とする多用途照明器具。
【請求項２】
フレームにおける下端部を前方突出させて、バッテリーの上部に形成した、背面開口する差込スリットへの差込部を形成したことを特徴とする請求項１記載の多用途照明器具。
【発明の詳細な説明】
【技術分野】
【０００１】
本発明は、主にキャンプなどのアウトドアレジャー用、災害時の避難所用の他、各種屋外灯としても使用可能な多用途照明器具に関する。
【背景技術】
【０００２】
従来、キャンプなどのアウトドアレジャー用、災害時の避難所用として使用する照明器具としては、燃料式又はバッテリー（乾電池を含む）式のランタンを、テーブル上に置いたり、天井に吊るして使用するのが一般的である。
【０００３】
又、充電可能なバッテリーを有する照明器具としては、バッテリー収納箱の上部に発光部を設け、該発光部は回転可能且つ角度変更可能として、発光部を好みの位置に変更固定出来る様にし、而も自動車のシガーソケットによる充電が可能で、重いバッテリーが下にあって安定性が良好なものが見受けられる（例えば、特許文献１参照）。
【０００４】
【特許文献１】特開平１０−２２８８０１号公報（請求項１、段落番号〔０００３〕、〔０００４〕、図１、２）
【発明の開示】
【発明が解決しようとする課題】
【０００５】
しかし、上記従来技術にあっては、バッテリーを内蔵したタイプであることから非常に重く、よって天井に吊り下げて使用するには不向きであり、主に手元を照らす卓上スタンドとして使用するのが一般的であるなど、解決せねばならない課題があった。
【課題を解決するための手段】
【０００６】
本発明は、上記従来技術に基づく、バッテリー付き照明器具は重く、吊下げ使用に適さない課題に鑑み、充電可能なバッテリーと、該バッテリーの上部に着脱自在な照明器具とを有し、該照明器具は、前記バッテリーの上部に着脱自在なフレームと、該フレームに対し揺動自在且表裏反転可能に回動自在に取り付けられた照明器具本体とを有し、バッテリーと照明器具とに電気的に接続する手段を有し、必要に応じてバッテリーから照明器具を外して、比較的軽量な照明器具だけを横向きにしたり、縦向きのまま吊り下げることによって、非常に重いバッテリーは地面やテーブル上に載置した状態で使用可能にして、上記課題を解決する。
【発明の効果】
【０００７】
要するに本発明は、充電可能なバッテリーと、該バッテリーの上部に着脱自在な照明器具とを有し、バッテリーと照明器具とに電気的に接続する手段を有しているので、バッテリーと照明器具を一体化して卓上スタンドとして使用するのは言うに及ばず、バッテリーから照明器具を取り外し、必要に応じて延長コード等を介して接続し使用することで、室内照明として使用したり、屋外（例えば庭、ベランダ、駐車場など）に、門灯、案内・表示灯、防犯・警告灯などの屋外灯として使用することも可能になるため、かかる照明器具の多用途化を図ることが出来る。
更に、上記照明器具は、前記バッテリーの上部に着脱自在なフレームと、該フレームに対し揺動自在且表裏反転可能に回動自在に取り付けられた照明器具本体とを有しているので、照明器具本体の姿勢を、照射面を用途に合致させた向きにすべく変更することが出来るため、各用途に最適な照明器具を提供することが出来、尚且つ収納時及び持ち運び時にバッテリーと照明器具に分ければ、嵩張らずに狭いスペースに収納出来るため、携行性の向上を図ることが出来、例えバッテリーと照明器具に分けなくてもフレームに対し照明器具本体を折り畳み状態にすれば嵩張らないため、良好な携行性を有させることが出来ると共に、どちらか一方が紛失する危険性を回避することが出来る。
又、フレームにおける下端部を前方突出させて、バッテリーの上部に形成した、背面開口する差込スリットへの差込部を形成したので、該差込部を差込スリットに対し挿抜するだけでバッテリーに対し照明器具を着脱出来るため、かかる着脱作業の簡易化を図ることが出来、而もバッテリーに対し照明器具をぐらつくことなく確実に一体化させることが出来る等その実用的効果甚だ大である。
【発明を実施するための最良の形態】
【０００８】
以下、本発明に係る多用途照明器具の一実施例を図面に基づき説明する。
図１は、本発明に係る多用途照明器具一式を示す斜視図であり、基本的には、充電可能なバッテリー１と、該バッテリー１の上部に着脱自在な照明器具２とを有し、該照明器具２は、前記バッテリー１に対し着脱可能なフレーム３と、該フレーム３に対し、揺動自在にして適宜位置で固定可能で、且つ表裏反転可能に回動自在にして適宜位置で固定可能に取り付けられた照明器具本体４とを有し、前記バッテリー１と前記照明器具２とを電気的に接続する手段を有している。
以下、具体的に説明する。
【０００９】
前記バッテリー１にあっては、図３（ａ）及び図３（ｂ）に示す様に、背面に照明器具２用の接続ジャック５と、外部電源用の接続ジャック６を有し、上部に前記フレーム３の下部の差込スリット７を形成すると共に、該差込スリット７の差込口８を背面側に開口形成している。
又、上記接続ジャック６に、図１に示す外部電源用の接続コード９又は自動車シガーソケット用の接続コード10を接続したり、図示しないが、携帯用太陽発電システムの接続コードを接続した上で、バッテリー１の接続ジャック５に照明器具２を接続した状態で使用すればバッテリー１に充電しつつ照明器具として使用可能になり、接続ジャック５に照明器具２を接続しない状態では単にバッテリー１に充電される。
【００１０】
前記照明器具２におけるフレーム３にあっては、縦長状にして直角二等辺三角形状の板状のフレーム部材11、12を上下端部に配置すると共に、該フレーム部材11、12の両側部の間を２本の連結杆13、13a で連結し、下端のフレーム部材11の先端側を差込部11a として、該差込部11a を、上記差込スリット７の差込口８より差し込んで、前記バッテリー１に対し前記照明器具２を連結一体化する様にしている。
上端のフレーム部材12の先端に前記照明器具本体４を揺動自在且表裏反転可能に回動自在に取り付け、フレーム部材11、12及び連結杆13、13a を中空状にし、照明器具本体４のコード類は、上端のフレーム部材12、連結杆13、13a 及び下端のフレーム部材11内を通過させて、該下端のフレーム部材11の背部より接続コード14として延設させている。
下端のフレーム部材11に吊下げ用の孔15、15a を、上端のフレーム部材12に吊下げ用の孔16、16a を夫々厚さ方向に貫設している。
【００１１】
前記照明器具２における照明器具本体４にあっては、縦長状にして前面に照明手段である複数個のＬＥＤランプ17、17a …が長手方向に所定間隔毎に配列されている。
尚、前記照明手段をＬＥＤランプ17、17a …としたのは、電力消費が少なく寿命が長いことから選択したものであってこれに限定されるものでもなく、例えば蛍光灯や電球などであっても良い。
【００１２】
又、上端のフレーム部材12と照明器具本体４の連結構造は、上端のフレーム部材12の先端部に設けたヒンジ部18における可動部材19に、照明器具本体４の上端部に設けた軸部20を枢着したり、或いは上端のフレーム部材12側の先端部に設けたヒンジ部18における可動部材19に固定した軸部20を、照明器具本体４の上端部に枢着している。
要するに、折り畳み状態でフレーム部材11、12間に位置する照明器具本体４を約１８０度上方へ揺動可能にすると共に、照明器具本体４をその長手方向の中心軸に対し３６０度回転可能な構造であれば、どの様な構造であっても良い。
【００１３】
次に、本発明に係る多用途照明器具の使用例について説明する。
〔卓上スタンドタイプ〕（図２〜４参照）
フレーム３における下端のフレーム部材11を先端を、バッテリー１の差込スリット７の差込口８から差し込んで、照明器具２をバッテリー１に装着し、該照明器具２の接続コード14のプラグをバッテリー１の接続ジャック５に差し込み、照明器具本体４をフレーム３に対し９０度以上上方揺動させると共に、照射面を下向きにした状態でテーブル上に載置すれば、手元を照らす卓上スタンドになる。
〔天井照明タイプ〕（図５、６参照）
フレーム３に対し照明器具本体４を折り畳んだ状態で照射面を表向きにし、一方のフレーム部材11の吊下げ用の孔15、15a に紐21、他方のフレーム部材12の吊下げ用の孔16、16a に紐22の両端部を通し抜けない様に端部処理（例えば、結び目を形成するなど）し、照明器具２を照射面が下方を向く様に横向きにすると共に、紐21、22を天井に適宜固定し、照明器具２の接続コード14を、必要に応じて延長コード23を介して、地面、テーブルなどに載置したバッテリー１の接続ジャック５に接続すれば、全体を照らす天井照明になる。
〔吊下げ照明タイプ（その１）〕（図７、８参照）
上方のフレーム部材12の吊下げ用の孔16、16a に紐22の両端部を通し抜けない様に端部処理（例えば、結び目を形成するなど）し、該紐22を樹木、柱、壁などに適宜固定し、照明器具本体４をフレーム３に対し９０度以上上方揺動させると共に、照射面を下向きにした状態とし、照明器具２の接続コード14を、必要に応じて延長コード23を介して、地面、テーブルなどに載置したバッテリー１の接続ジャック５に接続すれば、一角を照らす吊下げ照明になる。
〔吊下げ照明タイプ（その２）〕（図９、１０参照）
フレーム３に対し照明器具本体４を折り畳んだ状態で照射面を表向きにし、上方のフレーム部材12の吊下げ用の孔16、16a に紐22の両端部を通し抜けない様に端部処理（例えば、結び目を形成するなど）し、該紐22を樹木、柱、壁などに適宜固定し、照明器具２の接続コード14を、必要に応じて延長コード23を介して、地面、テーブルなどに載置したバッテリー１の接続ジャック５に接続すれば、室内灯として使用可能な他、門灯、案内・表示灯、防犯・警告灯などの屋外灯などとして使用可能にもなる。
【００１４】
尚、図示しないが、バッテリー１の接続ジャック６に接続した接続コード９を外部電源に接続した状態で照明器具２をバッテリー１に接続して、例えば卓上スタンドの様な常備灯として使用しても良く、この場合であっても、バッテリー１は充電されつつ照明器具２に電気供給していることから、停電の様に外部電源からの電気供給が止まっても、照明器具２用の電源は充電済みのバッテリー１であるため、消灯せずに非常灯として機能させることが可能になる。
つまり、本願のものは、主にアウトドアレジャー用、災害時の避難所用として使用することを目的としているが、上述の如く常備灯としても使用可能で、而も常備灯であって停電時の非常灯とする様に使用することも可能である。
【図面の簡単な説明】
【００１５】
【図１】本発明に係る多用途照明器具一式を示す斜視図である。
【図２】卓上スタンドタイプにした多用途照明器具の斜視図である。
【図３（ａ）】照明器具をバッテリーに装着する前の状態を示す背面斜視図の要部拡大図である。
【図３（ｂ）】照明器具をバッテリーに装着した状態を示す背面斜視図の要部拡大図である。
【図４】図２の多用途照明器具の使用例を示す斜視図である。
【図５】天井照明にした多用途照明器具の下面斜視図である。
【図６】図５の多用途照明器具の使用例を示す斜視図である。
【図７】照射面が下向き状態の吊下げ照明にした多用途照明器具の斜視図である。
【図８】図７の多用途照明器具の使用例を示す斜視図である。
【図９】照明器具が折り畳み状態で照射面が前向きの吊下げ照明にした多用途照明器具の斜視図である。
【図１０】図９の多用途照明器具の使用例を示す斜視図である。
【符号の説明】
【００１６】
１    バッテリー
２    照明器具
３    フレーム
４    照明器具本体
７    差込スリット
11    下端のフレーム部材
11a   差込部
【図１】
2010092784.tif 000003
【図２】
2010092784.tif 000004
【図３（ａ）】
2010092784.tif 000005
【図３（ｂ）】
2010092784.tif 000006
【図４】
2010092784.tif 000007
【図５】
2010092784.tif 000008
【図６】
2010092784.tif 000009
【図７】
2010092784.tif 000010
【図８】
2010092784.tif 000011
【図９】
2010092784.tif 000012
【図１０】
2010092784.tif 000013